(57)【要約】【課題】床用吸込具からの液体微粒子で床面から塵埃を剥がして集塵性能を向上させると共に、蒸気発生装置を必要とせず、クリーナ本体を大型化することなく安全に清掃できる電気掃除機を提供する。【解決手段】本体吸気口２に連通した集塵室３と送風室４を有する掃除機本体５と、集塵室３に内蔵された通気孔を有する集塵ケース６と、送風室４内に設置された吸引ファンモータ７と、本体吸気口２に気密に接続されたホース８と、床用吸込具９ａを有し、さらに床用吸込具９ａ内に設置されたスプレーノズル１０と、水Ａを貯留したタンク１１と、送液ポンプ１２とから構成し、スプレーノズル１０より微粒子Ｂを噴射して、床面から塵埃を剥がし易くし、かつ大気中や床面の細塵を凝集して舞い上がりにくくして床用吸込具９ａからの集塵性能を向上させる。【選択図】図１
2007054352.tif 000002
【特許請求の範囲】
【請求項１】
本体吸気口に連通した集塵室と送風室を有する掃除機本体と、前記集塵室に内蔵され通気孔を有する集塵部と、前記送風室内に設置された吸引ファンモータと、前記本体吸気口に気密に接続されたホースと、前記ホースと気密に接続され床面の塵埃を吸引する床用吸込具と、前記掃除機本体内に設けた液体を貯留する収容部と、前記掃除機本体内に設けた供給手段と、前記床用吸込具に設けた噴射手段とを備え、前記収容部内の液体を前記供給手段を通じて前記噴射手段に供給し微粒子を噴射する構成の電気掃除機。
【請求項２】
本体吸気口に連通した集塵室と送風室を有する掃除機本体と、前記集塵室に内蔵され通気孔を有する集塵部と、前記送風室内に設置された吸引ファンモータと、前記本体吸気口に気密に接続されたホースと、前記ホースと気密に接続され床面の塵埃を吸引する床用吸込具と、前記床用吸込具に設けた液体を貯留する収容部と、前記床用吸込具に設けた供給手段と、前記床用吸込具に設けた噴射手段とを備え、前記収容部内の液体を前記供給手段を通じて前記噴射手段に供給し微粒子を噴射する構成の電気掃除機。
【請求項３】
本体吸気口に連通した集塵室と送風室を有する掃除機本体と、前記集塵室に内蔵され通気孔を有する集塵部と、前記送風室内に設置された吸引ファンモータと、前記本体吸気口に気密に接続されたホースと、前記ホースと気密に接続され床面の塵埃を吸引する床用吸込具と、前記掃除機本体内に設けた供給口と、前記掃除機本体内に設けた供給手段と、前記床用吸込具に設けた噴射手段とを備え、前記掃除機本体の外部から供給される液体を前記供給口より取り入れ、前記供給手段を通じて前記噴射手段に供給して微粒子を噴射する構成の電気掃除機。
【請求項４】
噴射手段は、帯電した液体の微粒子を噴射する構成とした請求項１〜３のいずれか１項に記載の電気掃除機。
【請求項５】
噴射手段は、複数の微粒子噴射部を有する請求項１〜４のいずれか１項に記載の電気掃除機。
【請求項６】
噴射手段は、微粒子の噴射角度を可変とした請求項１〜５のいずれか１項に記載の電気掃除機。
【請求項７】
床用吸込具は、回転軸が床面と略平行の回転ブラシを有する構成とした請求項１〜６のいずれか１項に記載の電気掃除機。
【請求項８】
床用吸込具は、回転軸が床面と略垂直の回転ブラシを有する構成とした請求項１〜６のいずれか１項に記載の電気掃除機。
【請求項９】
回転ブラシは、噴射手段と一体構成とした請求項８に記載の電気掃除機。
【請求項１０】
床用吸込具は、拭き清掃部を有する構成とした請求項１〜６のいずれか１項に記載の電気掃除機。
【発明の詳細な説明】
【技術分野】
【０００１】
本発明は、床面に液体微粒子を噴射して清掃を行う電気掃除機に関するものである。
【背景技術】
【０００２】
従来、この種の電気掃除機は、湿式電気掃除機やスチームクリーナに多く利用されている（例えば、特許文献１、２参照）。
【０００３】
図１３は、特許文献１に記載された従来の湿式電気掃除機を示すものである。図１３に示すように、掃除機本体２０内に、吸気口２１と、前記吸気口２１と連通し補塵用水Ｄを貯水する略円筒形の補塵用水槽２２と、前記補塵用水槽２２内の補塵用水Ｄをその表面積が大きくなるよう回転させる回転用モータ２３と、吸引用モータ２４とを備えた湿式電気掃除機が開示されている。
【０００４】
図１４は、特許文献２に記載された従来のスチームクリーナを示すものである。図１４に示すように、本体２５内に設置された内部に所定量の水Ｅが貯溜される水供給手段２６と、前記水供給手段２６から供給される水を加熱させ蒸気を発生させる蒸気発生装置２７と、駆動手段２８の作用により吸入されるごみおよび汚染水を分離して貯蔵される集塵手段３３と、前記本体２５に結合され、その内側に形成された吸気口２９および回転する回転雑巾３０の周辺部に前記蒸気発生装置２７から発生された蒸気を噴射させる蒸気噴射口３１を具備した吸気ヘッド３２から構成されたスチームクリーナが開示されている。
【特許文献１】特開平９−２３４１７４号公報
【特許文献２】特開平７−３１７号公報
【発明の開示】
【発明が解決しようとする課題】
【０００５】
しかしながら、前記従来の湿式電気掃除機の構成では、床面の塵埃や汚れを床用吸込具の吸引力のみで回収するため、床面に付着してから時間が経過した汚れや油を含んだ汚れ等は回収できないという課題を有していた。また塵埃を含む吸気を補塵用水に接触させるための構造が必要であり、電気掃除機本体が大型で高重量になるという課題も有していた。
【０００６】
さらに前記従来のスチームクリーナの構成では、高温蒸気を発生させるため清掃中に作業者が誤って火傷等を負う恐れがあると同時に、高熱により床面が傷んでしまうという課題を有していた。また蒸気を発生させるための蒸気発生装置が必要なため、スチームクリーナ本体が大型化するという課題も有していた。
【０００７】
本発明は、前記従来の課題を解決するもので、床用吸込具から床面へ噴射した液体微粒子で床面から塵埃を剥がして集塵性能を向上させると共に、高温蒸気を発生させる蒸気発生装置を必要とせず、クリーナ本体を大型化することなく、安全に清掃できる電気掃除機を提供することを目的とする。
【課題を解決するための手段】
【０００８】
前記従来の課題を解決するために、本発明の電気掃除機は、本体吸気口に連通した集塵室と送風室を有する掃除機本体と、前記集塵室に内蔵され通気孔を有する集塵部と、前記送風室内に設置された吸引ファンモータと、前記本体吸気口に気密に接続されたホースと、前記ホースと気密に接続され床面の塵埃を吸引する床用吸込具と、前記掃除機本体内に設けた液体を貯留する収容部と、前記掃除機本体内に設けた供給手段と、前記床用吸込具に設けた噴射手段とを備え、前記収容部内の液体を前記供給手段を通じて前記噴射手段に供給し微粒子を噴射する構成を有するものである。
【０００９】
これによって、微粒子が床面に付着している塵埃に衝突して塵埃を床面から剥がすと共に、微粒子に付着した大気中もしくは床面の細塵は微粒子が蒸発する際に表面張力により引っ張られて凝集して大きくなるため、大気中に舞い上がりにくくなって床用吸込具に吸引されやすくなり、塵埃回収量が増加して集塵性能が向上する。また収容部に収容された液体を微粒化させて噴射するため、ホースやチューブで液体を単に噴射させる場合に比べて広範囲に微粒子を噴射することができる。
【発明の効果】
【００１０】
本発明の電気掃除機は、液体微粒子で床面から塵埃を剥がすと共に、微粒子が蒸発する際に微粒子に付着した大気中もしくは床面の細塵を凝集させることで集塵性能を向上することができる。
【発明を実施するための最良の形態】
【００１１】
第１の発明は、本体吸気口に連通した集塵室と送風室を有する掃除機本体と、前記集塵室に内蔵され通気孔を有する集塵部と、前記送風室内に設置された吸引ファンモータと、前記本体吸気口に気密に接続されたホースと、前記ホースと気密に接続され床面の塵埃を吸引する床用吸込具と、前記掃除機本体内に設けた液体を貯留する収容部と、前記掃除機本体内に設けた供給手段と、前記床用吸込具に設けた噴射手段とを備え、前記収容部内の液体を前記供給手段を通じて前記噴射手段に供給し微粒子を噴射する構成の電気掃除機とすることにより、微粒子が床面に付着している塵埃に衝突して塵埃を床面から剥がすと共に、微粒子に付着した大気中もしくは床面の細塵は微粒子が蒸発する際に表面張力により引っ張られて凝集して大きくなるため、大気中に舞い上がりにくくなって床用吸込具に吸引されやすくなり、塵埃回収量が増加して集塵性能が向上する。また収容部に収容された液体を微粒化させて噴射するため、ホースやチューブで液体を単に噴射させる場合に比べて広範囲に微粒子を噴射することができる。
【００１２】
第２の発明は、本体吸気口に連通した集塵室と送風室を有する掃除機本体と、前記集塵室に内蔵され通気孔を有する集塵部と、前記送風室内に設置された吸引ファンモータと、前記本体吸気口に気密に接続されたホースと、前記ホースと気密に接続され床面の塵埃を吸引する床用吸込具と、前記床用吸込具に設けた液体を貯留する収容部と、前記床用吸込具に設けた供給手段と、前記床用吸込具に設けた噴射手段とを備え、前記収容部内の液体を前記供給手段を通じて前記噴射手段に供給し微粒子を噴射する構成の電気掃除機とすることにより、収容部から噴射手段へ液体を供給するための経路が短くなり、電気掃除機の構造を簡易化することができると共に、掃除機本体を小型化することができる。
【００１３】
第３の発明は、本体吸気口に連通した集塵室と送風室を有する掃除機本体と、前記集塵室に内蔵され通気孔を有する集塵部と、前記送風室内に設置された吸引ファンモータと、前記本体吸気口に気密に接続されたホースと、前記ホースと気密に接続され床面の塵埃を吸引する床用吸込具と、前記掃除機本体内に設けた供給口と、前記掃除機本体内に設けた供給手段と、前記床用吸込具に設けた噴射手段とを備え、前記掃除機本体の外部から供給される液体を前記供給口より取り入れ、前記供給手段を通じて前記噴射手段に供給して微粒子を噴射する構成の電気掃除機とすることにより、床用吸込具または掃除機本体内に液体の収容部を設置する必要がなく、電気掃除機の小型軽量化が図れる。また清掃ごとに必要な液体量を電気掃除機外部から供給することができ、作業者が液体の使用量を管理する必要がなくなる。
【００１４】
第４の発明は、特に第１〜３の発明の噴射手段を帯電した液体の微粒子を噴射する構成とした電気掃除機とすることにより、床面に噴射された帯電した液体の微粒子は、微粒子の周囲に存在する塵埃を電気的に引き寄せて凝集させて大きくするため、大気中に舞い上がりにくくなって床用吸込具に吸引されやすくなり、塵埃回収量がさらに増加して集塵性能をさらに向上することができる。
【００１５】
第５の発明は、特に第１〜４の発明の噴射手段を複数の微粒子噴射部を有する構成とした電気掃除機とすることにより、１つの噴射範囲では狭く十分な範囲に噴射できない場合においても、複数から微粒子を噴射することが可能になり、広範囲に微粒子を噴射して清掃することが可能になる。
【００１６】
第６の発明は、特に第１〜５の発明の噴射手段を微粒子の噴射角度可変とした電気掃除機とすることにより、噴射角度が固定された場合に比べて微粒子が噴射される範囲が大きくなり、１つの噴射手段でも広範囲に微粒子を噴射して清掃することが可能になる。
【００１７】
第７の発明は、特に第１〜６の発明の床用吸込具を回転軸が床面と略平行の回転ブラシを有する構成の電気掃除機とすることにより、微粒子が床面から剥がした塵埃を回転ブラシで掻きあげることが可能になり、吸引力だけでは取りきれなかった塵埃も集塵することができる。
【００１８】
第８の発明は、特に第１〜６の発明の床用吸込具を回転軸が床面と略垂直の回転ブラシを有する構成の電気掃除機とすることにより、回転ブラシで床面を磨くことが可能になり、微粒子の衝突力だけでは床面から剥がせなかった塵埃も回転ブラシの摩擦力によって剥がして集塵することができる。
【００１９】
第９の発明は、特に第８の発明の回転ブラシを噴射手段と一体構成を有した電気掃除機とすることにより、噴射手段を回転ブラシ内に収めることが可能になり、床用吸込具を小型化することができる。
【００２０】
第１０の発明は、特に第１〜６の発明の床用吸込具を拭き清掃部を有する構成の電気掃除機とすることにより、微粒子が床面から剥がした塵埃を床用吸込具に設けた拭き清掃部で拭き取ることが可能になり、吸引力だけでは取りきれず床面に残った塵埃を残さず清掃することができる。
【００２１】
以下、本発明の実施の形態について、図面を参照しながら説明する。なお、この実施の形態によって本発明が限定されるものではない。
【００２２】
（実施の形態１）
図１は本発明の第１の実施の形態における電気掃除機の側断面図を示すものである。
【００２３】
図１において、電気掃除機１は、本体吸気口２に連通した集塵室３と送風室４を有する掃除機本体５と、集塵室３に内蔵された通気孔を有する集塵ケース６と、送風室４内に設置された吸引ファンモータ７と、本体吸気口２に気密に接続されたホース８と、ホース８と気密に接続され床面から塵埃を吸引する床用吸込具９ａを有し、さらに床用吸込具９ａ内に設置された微粒子Ｂを噴射するスプレーノズル１０と、掃除機本体５内に水Ａを貯留したタンク１１と、タンク１１と気密に接続された送液ポンプ１２と、送液ポンプ１２とスプレーノズル１０を気密に接続したチューブ１３から構成されている。
【００２４】
以上のように構成された電気掃除機１について、以下その動作、作用を説明する。
【００２５】
まず、送風室４に内蔵された吸引ファンモータ７が駆動することにより集塵ケース６内を負圧状態にする。掃除機本体５内のタンク１１に貯留された水Ａは送液ポンプ１２によって吸引され、ホース８内のチューブ１３を通り床用吸込具９ａ内に設置されたスプレーノズル１０に高圧供給される。高圧供給された水Ａは、スプレーノズル１０から微粒子Ｂになって床面へ噴射される。この際、微粒子Ｂは床面に付着している塵埃に衝突して塵埃を床面から剥がす。また微粒子Ｂに付着した大気中もしくは床面の細塵は、微粒子Ｂが蒸発する際に表面張力により引っ張られて凝集して大きくなり、大気中に舞い上がらずに床面に留まる。このようにして床面に溜まった塵埃は床用吸込具９ａに吸引されてホース８を通り、集塵ケース６に回収される。
【００２６】
以上のように、本実施の形態においては床用吸込具９ａ内に微粒子Ｂを噴射するためのスプレーノズル１０を設けたことにより、微粒子Ｂが塵埃に衝突して床面から剥がすと共に、微粒子Ｂに付着した大気中もしくは床面の細塵は微粒子Ｂが蒸発する際に凝集して大きくなるため、大気中に舞い上がりにくくなって床用吸込具９ａに吸引されやすくなり、塵埃回収量が増加して電気掃除機の集塵性能を向上することができる。
【００２７】
またタンク１１に収容された水Ａを微粒化させて噴射するため、ホースやチューブで水Ａを単に噴射させる場合に比べて広範囲に微粒子Ｂを噴射して清掃することができる。
【００２８】
なお、この実施の形態ではスプレーノズル１０を床用吸込具９ａの内部に設ける場合で説明したが、床用吸込具９ａ内に限定されるものではなく、図２に示すようにスプレーノズル１０を外部に設けた床用吸込具９ｂでも同様の効果が得られるものである。
【００２９】
また、前記実施の形態以外に図３に示すように複数のスプレーノズル１０を有する構成の床用吸込具９ｃであり、この床用吸込具９ｃを用いた電気掃除機にすることで、１つのスプレーノズル１０では噴射範囲が狭く十分な範囲に微粒子Ｂを噴射できない場合においても、複数のスプレーノズル１０から微粒子Ｂを噴射することで床面の広範囲を斑なく清掃することができる。
【００３０】
さらに、図４に示すように噴射角度ａを可変としたスプレーノズル１０を有する構成の床用吸込具９ｄを用いた電気掃除機では、噴射角度ａを清掃中に連続的に変えることにより、噴射角度ａが固定された場合に比べて微粒子Ｂが噴射される範囲が大きくなり、１つのスプレーノズル１０でも広範囲に微粒子Ｂを噴射することが可能になる。
【００３１】
（実施の形態２）
図５は本発明の第２の実施の形態における電気掃除機の側断面図を示すものである。なお、図１に示した本発明の第１に実施の形態と、水を貯留するタンク及び送液ポンプを床用吸込具に設けた構成とした以外は同様の構成を有するものであり、同一の構成については同一の符号を付して詳細な説明は省略する。
【００３２】
以上のように構成された電気掃除機について、以下その動作、作用を説明する。
【００３３】
まず、送風室４に内蔵された吸引ファンモータ７が駆動することにより集塵ケース６内を負圧状態にする。床用吸込具９ｃに設置されたタンク１１に貯留された水Ａは送液ポンプ１２によって吸引され、チューブ１３を通りスプレーノズル１０に高圧供給される。高圧供給された水Ａは、スプレーノズル１０から微粒子Ｂになって床面へ噴射される。この際、微粒子Ｂは床面に付着している塵埃に衝突して塵埃を床面から剥がす。また微粒子Ｂに付着した大気中もしくは床面の細塵は、微粒子Ｂが蒸発する際に表面張力により引っ張られて凝集して大きくなり、大気中に舞い上がらずに床面に留まる。このようにして床面に溜まった塵埃は床用吸込具９ｅに吸引されてホース８を通り、集塵ケース６に回収される。
【００３４】
以上のように、本実施の形態においては床用吸込具９ｅにタンク１１を設けたことにより、タンク１１からスプレーノズル１０へ水Ａを供給するための経路が短くなり、電気掃除機の構造を簡易化することができると共に、掃除機本体５内にタンク１１及び送液ポンプ１２を必要としないため、掃除機本体５を小型化することができる。
【００３５】
なお、この実施の形態ではタンク１１を床用吸込具９ｅ内に設ける場合で説明したが、床用吸込具９ｅ内に限定されるものではなく、図６に示すようにタンク１１を外部に設置した床用吸込具９ｆでも同様の効果が得られるものである。また、タンク１１を取り外し可能にしておけば、タンク１１内の水Ａが不足した場合に補充しやすくなる。
【００３６】
（実施の形態３）
図７は本発明の第３の実施の形態における電気掃除機の側断面図を示すものである。
【００３７】
本発明の第３の実施の形態における電気掃除機は、図１に示した本発明の第１に実施の形態と、水を貯留するタンクを除き、掃除機本体に供給口を設けて外部から水を供給する構成とした以外は同様の構成を有するものであり、同一の構成については同一の符号を付して詳細な説明は省略する。
【００３８】
以上のように構成された電気掃除機について、以下その動作、作用を説明する。
【００３９】
まず、送風室４に内蔵された吸引ファンモータ７が駆動することにより集塵ケース６内を負圧状態にする。水貯蔵タンク１４から供給ホース１５を通して掃除機本体５の供給口１６に水Ａが供給される。水貯蔵タンク１４は、水を貯留するものでも良いし、水道管からの水が適宜供給されるように（図示せず）なっていても良いものである。供給された水Ａは送液ポンプ１２によって吸引され、ホース８内のチューブ１３を通り床用吸込具９ａ内に設置されたスプレーノズル１０に高圧供給される。高圧供給された水Ａは、スプレーノズル１０から微粒子Ｂになって床面へ噴射される。この際、微粒子Ｂは床面に付着している塵埃に衝突して塵埃を床面から剥がす。また微粒子Ｂに付着した大気中もしくは床面の細塵は、微粒子Ｂが蒸発する際に表面張力により引っ張られて凝集して大きくなり、大気中に舞い上がらずに床面に留まる。このようにして床面に溜まった塵埃は床用吸込具９ａに吸引されてホース８を通り、集塵ケース６に回収される。
【００４０】
以上のように、本実施の形態においては掃除機本体５に供給口１６を設けたことにより、床用吸込具９ａまたは掃除機本体５内に水貯蔵用のタンクを設置する必要がなく、水収容用の空間や水重量がなくなるため、電気掃除機１の小型軽量化が図れる。また清掃ごとに必要な水量を電気掃除機１外部から供給することができ、作業者が水Ａの使用量を頻繁に管理する必要がなくなるものである。
【００４１】
（実施の形態４）
図８は本発明の第４の実施の形態における電気掃除機の床用吸込具の要部側断面図を示すものである。なお、図１に示した本発明の第１に実施の形態と、床用吸込具にφ０．３ｍｍのステンレス棒と厚み０．５ｍｍのステンレス板を電極とした平行な１対の平板を設置し、スプレーノズルから噴射された水の微粒子を平板間に通す構成とした以外は同様の構成を有するものであり、同一の構成については同一の符号を付して詳細な説明は省略する。
【００４２】
以上のように構成された電気掃除機について、以下その動作、作用を説明する。
【００４３】
まず、送風室４に内蔵された吸引ファンモータ７が駆動することにより集塵ケース６内を負圧状態にする。掃除機本体５内のタンク１１に貯留された水Ａは送液ポンプ１２によって吸引され、ホース８内のチューブ１３を通り床用吸込具９ｇ内に設置されたスプレーノズル１０に高圧供給される。高圧供給された水Ａは、スプレーノズル１０から微粒子Ｂとして噴射されて高電圧を印可した平板１７間を通過して帯電する。平板１７間にかける電圧は７ｋＶとした。帯電した微粒子Ｃはクーロン力により周囲の塵埃を引きつけて凝集させると共に、床面に付着している塵埃に衝突して塵埃を床面から剥がす。また微粒子Ｃに付着した大気中もしくは床面の細塵は微粒子が蒸発する際に表面張力により引っ張られて凝集して大きくなり、大気中に舞い上がらずに床面に留まる。このようにして床面に溜まった塵埃は床用吸込具９ｇに吸引されてホース８を通り、集塵ケース６に回収される。
【００４４】
以上のように、本実施の形態においては床用吸込具に高電圧を印可した平板１７を設置したことにより、スプレーノズル１０から噴射された微粒子Ｂが帯電されて周囲に存在する塵埃を電気的に引き寄せて凝集して大きくなるるため、大気中に舞い上がりにくくなって床用吸込具９ｇに吸引されやすくなり、塵埃回収量が増加して集塵性能をさらに向上することができる。
【００４５】
（実施の形態５）
図９は本発明の第５の実施の形態における電気掃除機の床用吸込具の要部側断面図を示すものである。なお、図１に示した本発明の第１に実施の形態と、床用吸込具に回転軸が床面と略平行の回転ブラシを設置する構成とした以外は同様の構成を有するものであり、同一の構成については同一の符号を付して詳細な説明は省略する。
【００４６】
以上のような構成の電気掃除機について、以下その動作、作用を説明する。
【００４７】
まず、送風室４に内蔵された吸引ファンモータ７が駆動することにより集塵ケース６内を負圧状態にする。掃除機本体５内のタンク１１に貯留された水Ａは送液ポンプ１２によって吸引され、ホース８内のチューブ１３を通り床用吸込具９ｈ内に設置されたスプレーノズル１０に高圧供給される。高圧供給された水Ａは、スプレーノズル１０から微粒子Ｂになって床面へ噴射される。この際、微粒子Ｂは床面に付着している塵埃に衝突して塵埃を床面から剥がす。また微粒子Ｂに付着した大気中もしくは床面の細塵は、微粒子Ｂが蒸発する際に表面張力により引っ張られて凝集して大きくなり、大気中に舞い上がらずに床面に留まる。このようにして床面に溜まった塵埃は、床用吸込具９ｈに備えられた回転ブラシ１８ａによってホース８に向かって掻き揚げながら吸引される。吸引された塵埃はホース８を通り、集塵ケース６に回収される。
【００４８】
以上のように、本実施の形態においては床用吸込具９ｈに床面から回転軸が床面と略平行の回転ブラシ１８ａを設置した構成とすることにより、微粒子Ｂが床面から剥がした塵埃を回転ブラシ１８ａによってホース８側へ掻き揚げながら吸引することができるため、電気掃除機の吸引力だけでは取りきれなかった塵埃も集塵することができる。
【００４９】
また、前記実施の形態以外に図１０に示すように回転軸が床面と略垂直の回転ブラシ１８ｂを床用吸込具９ｉに備えた構成の床用吸込具９ｊを用いた電気掃除機では、回転ブラシ１８ｂで床面を磨くことが可能になり、微粒子の衝突力だけでは床面から剥がせなかった塵埃も回転ブラシ１８ｂの摩擦力によって剥がして集塵することができる。また、図１１に示すように回転ブラシ１８ｂ内にスプレーノズル１０を搭載した床用吸込具９ｊを用いた電気掃除機では、回転ブラシ１８ｂとスプレーノズル１０を一体化することで必要な体積が減少してコンパクトにすることが可能になり、床用吸込具９ｊを小型化することができる。
【００５０】
（実施の形態６）
図１２は本発明の第６の実施の形態における電気掃除機の床用吸込具の下面図を示すものである。なお、図１に示した本発明の第１に実施の形態と、拭き清掃部を有する構成とした以外は同様の構成を有するものであり、同一の構成については同一の符号を付して詳細な説明は省略する。
【００５１】
以上のような構成の電気掃除機について、以下その動作、作用を説明する。
【００５２】
まず、送風室４に内蔵された吸引ファンモータ７が駆動することにより集塵ケース６内を負圧状態にする。掃除機本体５内のタンク１１に貯留された水Ａは送液ポンプ１２によって吸引され、ホース８内のチューブ１３を通り床用吸込具９ｋ内に設置されたスプレーノズル１０に高圧供給される。高圧供給された水Ａは、スプレーノズル１０から微粒子Ｂになって床面へ噴射される。この際、微粒子Ｂは床面に付着している塵埃に衝突して塵埃を床面から剥がす。また微粒子Ｂに付着した大気中もしくは床面の細塵は、微粒子Ｂが蒸発する際に表面張力により引っ張られて凝集して大きくなり、大気中に舞い上がらずに床面に留まる。このようにして床面から剥がされた塵埃は、床用吸込具９ｋから吸引されてホース８を通り、集塵ケース６に回収される。電気掃除機の吸引力では取りきれず床面に残った塵埃は、拭き清掃部１９で拭き取られる。
【００５３】
以上のように、本実施の形態においては床用吸込具に拭き清掃部１９を有する構成とすることにより、床面に残った塵埃も拭き清掃部１９で拭き取ることが可能になり、塵埃を残さず清掃することができる。
【００５４】
なお、実施の形態１〜６では、液体に水を使用する場合で説明したが、水に限定されるものではなく、洗浄水や芳香剤を使用しても同様の効果が得られるものである。
【産業上の利用可能性】
【００５５】
以上のように、本発明にかかる電気掃除機は、液体微粒子で床面から塵埃を剥がすと共に、微粒子に付着した大気中もしくは床面の細塵を微粒子が蒸発する際に凝集させて大きくすることで細塵の大気中への舞い上がりを抑えて集塵性能を向上することが可能になるので、家庭用電気掃除機や業務用電気掃除機等の用途に適用できる。
【図面の簡単な説明】
【００５６】
【図１】本発明の第１の実施の形態における電気掃除機の概略図
【図２】同電気掃除機に用いた床用吸込具の側断面図
【図３】同電気掃除機に用いた床用吸込具の下面図
【図４】同電気掃除機に用いた床用吸込具の側断面図
【図５】本発明の第２の実施の形態における電気掃除機の概略図
【図６】同電気掃除機に用いた床用吸込具の側断面図
【図７】本発明の第３の実施の形態における電気掃除機の概略図
【図８】本発明の第４の実施の形態における電気掃除機に用いた床用吸込具の側断面図
【図９】本発明の第５の実施の形態における電気掃除機に用いた床用吸込具の側断面図
【図１０】同電気掃除機に用いた床用吸込具の下面図
【図１１】同電気掃除機に用いた床用吸込具の下面図
【図１２】本発明の第６の実施の形態における電気掃除機に用いた床用吸込具の下面図
【図１３】従来の電気掃除機の部分側断面図
【図１４】従来の電気掃除機の側断面図
【符号の説明】
【００５７】
１  電気掃除機
２  本体吸気口
３  集塵室
４  送風室
５  掃除機本体
６  集塵ケース（集塵部）
７  吸引ファンモータ
８  ホース
９ａ、９ｂ、９ｃ、９ｄ、９ｅ、９ｆ、９ｇ、９ｈ、９ｉ、９ｊ、９ｋ  床用吸込具
１０  スプレーノズル（噴射手段）
１１  タンク（収容部）
１３  チューブ（供給手段）
１６  供給口
１８ａ  回転ブラシ
１８ｂ  回転ブラシ
１９  拭き清掃部
２０  供給口
【図１】
2007054352.tif 000003
【図２】
2007054352.tif 000004
【図３】
2007054352.tif 000005
【図４】
2007054352.tif 000006
【図５】
2007054352.tif 000007
【図６】
2007054352.tif 000008
【図７】
2007054352.tif 000009
【図８】
2007054352.tif 000010
【図９】
2007054352.tif 000011
【図１０】
2007054352.tif 000012
【図１１】
2007054352.tif 000013
【図１２】
2007054352.tif 000014
【図１３】
2007054352.tif 000015
【図１４】
2007054352.tif 000016